(57)【要約】      （修正有）【課題】面着して指でなかなか開けることの出来ない樹脂袋の開口部を開けるための用具を提供する。【解決手段】易着弾性体シートから成り、そのシートの片面に面着した樹脂袋の開口部を片手で押えてずらす動作にて開口することで解決する。易着弾性体シートが伸縮摩擦抵抗性のあるエラストマー又はゴム系材料から形成されているため、樹脂袋をシート上の面に置いてその置いた片手で押してずらすだけで易着性のため樹脂袋の片方がシートの面に被着し、樹脂袋のもう一方が手でよれて簡単に開口出来るものとなる。【選択図】図１
0003152890.tif 000002
【実用新案登録請求の範囲】
【請求項１】
易着弾性体シートから成り、そのシートの片面に面着した樹脂袋の開口部を片手で押さえてずらす動作にて開口することを特徴とする樹脂袋開口用具。
【請求項２】
易着弾性体シートが伸縮摩擦抵抗性のあるエラストマー又はゴム系材料から形成される請求項１に記載の樹脂袋開口用具。
【請求項３】
易着弾性体シートが抗菌剤を含有する請求項１又は２に記載の樹脂袋開口用具。
【請求項４】
易着弾性体シートの開口面の反対面に両面テープ、マグネットシート、接着剤層又は吸盤による接着層を設けた請求項１、２又は３に記載の樹脂袋開口用具。
【請求項５】
請求項１記載の樹脂袋開口用具において、易着弾性体シートがエコバックの一部に縫製又はポケット部に挿入された樹脂袋開口用具。
【請求項６】
請求項１記載の樹脂袋開口用具において、易着弾性体シートが開口面の反対面で着脱可能なバッジ表面に接着形成されている樹脂袋開口用具。
【請求項７】
請求項１記載の樹脂袋開口用具において、易着弾性体シートが開口面の反対面で買い物カゴの一部に一個又は複数個接着形成されている樹脂袋開口用具。
【考案の詳細な説明】
【技術分野】
【０００１】  本考案は、袋の開口部が静電気などで密着してなかなか指で開けることの出来ない樹脂袋の開口部を開ける樹脂袋開口用具に関する。
【背景技術】
【０００２】  従来、スーパーなどの生鮮食品や冷凍食品を入れるためのサッカー台等に置かれたロール状の連続式樹脂袋やレジ袋や家庭用ゴミ袋は、その製造工程上、向かい合わせた袋状を熱着し、切断しているため袋自体が静電気により面着して製造されている。【０００３】  この問題点を解決するため、サッカー台に指先を濡らすためのおしぼりやスポンジなどで指先を濡らして樹脂袋開口部をこすり合わせて開いていた。人によっては、指先を唾液で濡らして開口していた。【０００４】  一方で、Ｖ字形状の端面部に開口部を挟み込んで、ゴム系材料で出来た挟み部などで、ずらして開口させる用具が提案されている。
【先行技術文献】
【特許文献】
【０００５】
【特許文献１】特許公開２００６年第７６５９３号公報
【特許文献２】特許公開２００６年第２８２２７３号公報
【特許文献３】特許公開２００７年第３０９８２号公報
【特許文献４】実用新案登録第３１０６３７６号公報
【考案の概要】
【考案が解決しようとする課題】
【０００６】  しかしながら、指先を濡らすためのおしぼりやスポンジなどは、ほかの人も使用するため、不衛生であると感じる人が多く、実際管理が行き届いていないと雑菌が繁殖したりすることもあり、更に指先を舐めること自体に抵抗のある人が大変多かった。【０００７】  又、特許文献１、２、３及び４のような袋開口用具は、Ｖ字形状に構成されていることを基本とし、全てそのＶ字形状部内側に袋の開口部を挟みこんで指や手で前後左右にずらして開口しなければならないため、袋詰めの際に用具を片手に、又袋をもう一方の手に持って作業するため、手の不自由な人や老齢者には、開口部をＶ字形状部分に挿入することが難しいという欠点が有った。
更に用具として個人が買い物のたびに持ち歩くのは不便で有り、サッカー台に置いておくと盗難の恐れも有り、更に他の人が使用したものに触れることが不衛生であると感じる人が多い問題点があった。
【問題点を解決するための手段】
【０００８】  本考案の樹脂袋開口用具は易着弾性体シートから成り、そのシートの片面に面着した樹脂袋の開口部を片手で押さえてずらす動作にて開口することを特徴とする。
【０００９】  更に、易着弾性体シートが伸縮摩擦抵抗性のあるエラストマー又はゴム系材料から形成されていることを特徴とする。
【００１０】  又、易着弾性体シートが抗菌剤を含有していることを特徴とする。
【００１１】  又、易着弾性体シートの開口面の反対面に両面テープ、マグネットシート、接着剤層又は吸盤による接着層を設けたことを特徴とする。
【００１２】  又、本考案の樹脂袋開口用具においては、易着弾性体シートがエコバックの一部に縫製又はポケット部に挿入されて構成されたことを特徴とする。
【００１３】  又、本考案の樹脂袋開口用具においては、易着弾性体シートが開口面の反対面で着脱可能なバッジ表面に接着形成されていることを特徴とする。
【００１４】  又、本考案の樹脂袋開口用具においては、易着弾性体シートが開口面の反対面で買い物カゴの一部に一個又は複数個接着形成されていることを特徴とする。
【考案の効果】
【００１５】  本考案は、面着して指でなかなか開けることの出来ない樹脂袋の開口部を開けるために易着弾性体シートから成り、そのシートの片面に面着した樹脂袋の開口部を片手で押さえて、そのままの手でずらす動作だけで簡単に開口出来るものとなる。
【００１６】  又、易着弾性体シートが伸縮摩擦抵抗性のあるエラストマー又はゴム系材料から形成されているため、樹脂袋をシート上の面に置いてその置いた片手で押してずらすだけで易着性のため樹脂袋の片方がシートの面に被着し、樹脂袋のもう一方が手でよれて簡単に開口出来るものとなる。
【００１７】  又、易着弾性体シートが抗菌剤を含有するため、清潔に使用出来、水洗いや水拭き等の管理もしやすいものとなる。
【００１８】  更に、易着弾性体シートの開口面の反対面に両面テープ、マグネットシート、接着剤層又は吸盤による接着層を設けているため、サッカー台の一部やロール状樹脂フィルム袋の設置壁面、更には家庭用としては、冷蔵庫や引き出しの側面などに張り付けて使用出来るものとなり、場所も取らないコンパクトなものとなる。
【００１９】  なお、本考案の樹脂袋開口用具の別の形態として、易着弾性体シートがエコバックの一部に縫製されて設けたり、取り出し可能なようにポケット部に挿入して使用するようにしておけば、店のサッカー台などに樹脂袋開口用具が無い場合も使える優れたものとなる。
【００２０】  又、別の形態として、易着弾性体シートが開口面の反対面で、安全ピンやホック等で着脱可能なバッジ表面に接着して形成しておければ、エコバッグのみならず、作業者の衣服などに簡単に装着して使用出来るものとなる。
【００２１】  更に易着弾性体シートが開口面の反対面で、スーパーなどで使用されている買い物カゴの一部に一個又は複数個接着しておけば、カゴから樹脂袋に入れる際に簡便に使用出来る優れたものとなる。
【図面の簡単な説明】
【００２２】
【図１】本考案の一案施例を示す斜視図である。
【図２】本考案の一案施例を示す側面図である。
【図３】本考案の他の一案施例を示す斜視図である。
【図４】本考案の他の一案施例を示す斜視図である。
【図５】本考案の他の一案施例を示す斜視図である。
【図６】本考案の他の一案施例を示す斜視図である。
【考案を実施するための形態】
【００２３】  本考案における樹脂袋開口用具の大きさ、デザイン、材質、製造方法等は特に限定される事はないが、長期間の使用による耐消耗性、生産性などからエラストマー樹脂成型された易着弾性体シートが好ましい。特にこの易着弾性体シートに予め抗菌剤を含有したものが清潔に使用出来る。
以下、実施例と図に基づき説明する。
【実施例】
【００２４】  以下、本考案の一実施例を図１、図２、図３、図４、図５、及び図６で説明するがこれによって本考案はなんら限定されるものではない。【００２５】  図１は本考案の一実施例を示し、樹脂袋開口用具（１）の易着弾性体シート（２）の面上に樹脂袋（１３）の開口部（１４）を乗せて、手で押さえてずらした時の開口の様子を示している。【００２６】  図２は本考案の図１のものを側面から見た図である。樹脂袋開口用具（１）は表面に抗菌剤（３）を含有する易着弾性体シート（２）が有り、裏面に接着層（４）としてマグネットシートが貼られている。【００２７】  図３は本考案の別の一実施例を示し、バッジ（７）の形態としたもので、表面に易着弾性体シート（２）を設け、裏面に安全ピン（８）が設けられている。【００２８】  図４も本考案の別の一実施例を示し、エコバッグ（５）の一部に設けられたポケット部（６）に易着弾性体シート（２）が表面に来るように装着したものである。【００２９】  図５は更に本考案の別の一実施例を示し、スーパー等で使用される買い物カゴ（１２）のフチ部分に易着弾性体シート（２）を複数個を張り付けてなる樹脂袋開口用具（１）である。【００３０】  図６は本考案の樹脂袋開口用具（１）が、サッカー台（９）に予め複数設置されている状態を示し、連続ロール状フィルム袋（１０）の支持台（１１）の側面にも設けられているため、連続ロール状フィルム袋（１０）を取った後にすぐさま支持台（１１）の側面に袋の開口部（１４）を手で押しつけて、ずらせば簡単に開口するものとなる。
又支持台（１１）の下に置いて使用すれば、買い物カゴを置いた時に邪魔にならずに使用出来る。その際は易着弾性体シート（２）の裏面に重い金属板などで簡単に動かないようにしておく。
【産業上の利用の可能性】
【００３１】  面着して開けづらかった生鮮食品やスーパーのレジ袋、家庭用ゴミ袋のような樹脂袋の開口部を指先を濡らすためのおしぼりやスポンジなどを使用せずに衛生的で管理もしやすい優れた用具となる。
【００３２】  又、Ｖ字形状の端面部に樹脂袋の開口部を挟み込んで、ゴム系材料などで出来た挟み部を指や手で前後左右にずらして開口する用具も有るが、これらは商品を袋詰めする際に開口用具を片手に、そして袋をもう一方の手に持っての動作となるため、本考案のものは、健常者のみならず手の不自由な人や老齢者の人でも簡単に片手で樹脂袋を開口することが出来るものとなる。
【００３３】  更にスーパーなどのサッカー台の一部や家庭においては冷蔵庫や引き出しなどの側面に貼り付けて使用することが出来、場所もとらないコンパクトで製造方法も簡単なものとなる。
【００３４】  なお、易着弾性体シート表面に予め使用方法や広告などを印刷しておけば広告媒体としての副次的な利用が出来る。
【符号の説明】
【００３５】１  樹脂袋開口用具    ２  易着弾性体シート    ３  抗菌剤    ４  接着層
５  エコバッグ    ６  ポケット部    ７  バッジ    ８  安全ピン
９  サッカー台    １０  連続ロール状フィルム袋    １１  支持台
１２  買い物カゴ    １３  樹脂袋    １４  開口部
【図１】
0003152890.tif 000003
【図２】
0003152890.tif 000004
【図３】
0003152890.tif 000005
【図４】
0003152890.tif 000006
【図５】
0003152890.tif 000007
【図６】
0003152890.tif 000008
【手続補正書】
【提出日】平成21年5月25日(2009.5.25)
【手続補正１】
【補正対象書類名】実用新案登録請求の範囲
【補正対象項目名】請求項５
【補正方法】変更
【補正の内容】
【請求項５】
請求項１記載の樹脂袋開口用具において、易着弾性体シートがエコバック（登録商標）の一部に縫製又はポケット部に挿入された樹脂袋開口用具。
【手続補正２】
【補正対象書類名】明細書
【補正対象項目名】００１２
【補正方法】変更
【補正の内容】
【００１２】  又、本考案の樹脂袋開口用具においては、易着弾性体シートがエコバック（登録商標）の一部に縫製又はポケット部に挿入されて構成されたことを特徴とする。
【手続補正３】
【補正対象書類名】明細書
【補正対象項目名】００１９
【補正方法】変更
【補正の内容】
【００１９】  なお、本考案の樹脂袋開口用具の別の形態として、易着弾性体シートがエコバック（登録商標）の一部に縫製されて設けたり、取り出し可能なようにポケット部に挿入して使用するようにしておけば、店のサッカー台などに樹脂袋開口用具が無い場合も使える優れたものとなる。
【手続補正４】
【補正対象書類名】明細書
【補正対象項目名】００２８
【補正方法】変更
【補正の内容】
【００２８】  図４も本考案の別の一実施例を示し、エコバッグ（登録商標）（５）の一部に設けられたポケット部（６）に易着弾性体シート（２）が表面に来るように装着したものである。
【手続補正５】
【補正対象書類名】明細書
【補正対象項目名】００３５
【補正方法】変更
【補正の内容】
【００３５】１  樹脂袋開口用具    ２  易着弾性体シート    ３  抗菌剤    ４  接着層
５  エコバッグ（登録商標）    ６  ポケット部    ７  バッジ    ８  安全ピン
９  サッカー台    １０  連続ロール状フィルム袋    １１  支持台
１２  買い物カゴ    １３  樹脂袋    １４  開口部